(57)【特許請求の範囲】
【請求項１】
枠体および前記枠体に開閉自在に支持された面材のうち、一方に設けられたラッチ本体と、他方に設けられた受部とを備え、前記ラッチ本体が前記受部に係合することで前記面材を閉鎖位置に位置規制するラッチ装置であって、
前記ラッチ本体は、
前記一方に固定されるとともにベース孔を有したベース部材と、
前記ベース孔から突没自在に前記ベース部材に支持されるラッチ部材と、
このラッチ部材を前記ベース孔から突出させる方向へ付勢するコイルばねと、
前記ラッチ部材の前記ベース孔からの突出量を変更して前記受部との掛け寸法を調節可能な調節手段と、
前記ベース孔の周縁に設けられ、前記ラッチ部材と前記コイルばねと前記調節手段とを収容する略筒状の収容部と、
前記調節手段に当接して前記ラッチ部材の突出方向側への移動を規制する調節手段移動規制部材とを備えて構成され、
前記調節手段は、ナットと、このナットに螺合するボルト軸およびボルト頭を有し前記ボルト頭が前記ラッチ部材に固定されたボルトとを備え、
前記調節手段移動規制部材は、略コ字板状の移動規制本体部を備え、
前記収容部は、
前記ベース孔の周縁に一連に設けられた筒状に形成され、前記ラッチ部材を収容するラッチ部材収容部と、
前記ラッチ部材収容部に一連に設けられた筒状に形成され、前記ナットの回転を規制しつつ前記ナットを前記筒状の軸方向に移動可能に収容するナット収容部と、
前記ナット収容部の開口部を閉塞するばね受板部と、
前記ラッチ部材収容部と前記ナット収容部との連結部分に設けられ、前記調節手段移動規制部材が着脱可能に差し込まれる差込部とを備え、
前記コイルばねは、前記ナット収容部内において前記ナットと前記ばね受板部との間に配置され、
前記差込部には、前記移動規制本体部の略コ字状の内部に前記ボルト軸が挿通され、かつ、前記移動規制本体部が前記ナットに当接して当該ナットが前記ベース孔側へ移動することを規制するように前記調節手段移動規制部材が差し込まれているラッチ装置。
【請求項２】
前記ラッチ部材の回転を規制する回転規制手段が前記ラッチ部材収容部と前記ラッチ部材との間に設けられている請求項１に記載のラッチ装置。
【請求項３】
前記ラッチ部材を突没方向と交差する方向へ押圧して前記ラッチ部材収容部に押し付ける押圧手段が前記ラッチ部材収容部と前記ラッチ部材との間に設けられている請求項１または請求項２に記載のラッチ装置。
【請求項４】
前記ラッチ部材収容部における前記ラッチ部材の外周面と対向する内周面および前記ラッチ部材の外周面のうち一方には、他方に向けて突出する突出部が設けられ、他方には、前記突出部と係合しかつ前記突出部が突没方向に摺動可能な溝部が設けられ、
前記突出部または前記溝部は、前記突出部の突出方向に略沿った方向に弾性変形可能な弾性部を介して前記ラッチ部材収容部または前記ラッチ部材に設けられ、
前記突出部と前記溝部とは、これらの係合により前記ラッチ部材の回転を規制する回転規制手段を構成し、
前記押圧手段は、前記突出部と前記溝部と前記弾性部とで構成され、前記弾性部の弾性変形の反力により前記ラッチ部材が前記ラッチ部材収容部に押し付けられている請求項３に記載のラッチ装置。
【請求項５】
前記ラッチ部材が前記コイルばねで付勢された際に前記ラッチ部材に対して前記コイルばねの付勢力と反対方向への力を作用させるダンパ手段が設けられている請求項１から請求項４のいずれかに記載のラッチ装置。
【請求項６】
前記ラッチ部材の外周面には、前記ラッチ部材収容部の内周面に対して進退する方向に弾性変形可能な弾性部を介して前記ラッチ部材収容部の内周面に向けて突出する突出部が設けられ、
前記ラッチ部材収容部の内周面には、前記突出部と係合しかつ前記突出部が突没方向に摺動可能な溝部が設けられ、
前記ラッチ部材の外周面および前記ラッチ部材収容部の内周面のうち一方には、その周方向に略沿って一連に配置されて他方に摺接するベースラッチ間摺接部材が設けられ、
前記突出部と前記溝部とは、これらの係合により前記ラッチ部材の回転を規制する前記回転規制手段を構成し、
前記ラッチ部材収容部と前記溝部と前記ベースラッチ間摺接部材とは、前記ラッチ部材収容部内における前記ベースラッチ間摺接部材よりも閉塞面側の閉塞面側空間の圧力を前記溝部を介した空気の出入りで調整することで、前記ラッチ部材が前記コイルばねで付勢された際に前記ラッチ部材に対して前記コイルばねの付勢力と反対方向への力を作用させるダンパ手段を構成している請求項２に記載のラッチ装置。
【請求項７】
建物に固定された枠体と、
この枠体に開閉自在に支持された面材と、
請求項１から請求項６のいずれかに記載のラッチ装置とを備えた建具。
【請求項８】
前記面材は、前記枠体に回動可能に支持された扉体である請求項７に記載の建具。
【発明の詳細な説明】
【技術分野】
【０００１】
本発明は、ラッチ装置およびラッチ装置を備えた建具に関する。
【背景技術】
【０００２】
従来、浴室のドア等に用いられるラッチ装置が知られている（例えば、特許文献１参照）。
この特許文献１に記載のものは、ハウジングとこのハウジングの前後壁に枢支させたノッチ軸とこのノッチ軸の後端部に枢着してノッチ部の突出長さを調整するストッパとノッチ部をハウジングの前方へ出没自在にするコイルばねとを備えている。
【０００３】
そして、特許文献１に記載のラッチ装置は、以下の手順で各部材が組み立てられる。すなわち、ハウジング後壁の貫通孔の後方からストッパの鞘管を嵌込んでから、ノッチ軸の後端部にコイルばねを挿入し、これをハウジング前壁の貫通孔の前面側から挿入し、ノッチ軸の雄ねじをストッパの鞘管に挿入する。そして、コイルばねを鞘管の外周面に嵌合させて後方へ押し込み雄ねじ部をストッパのねじ孔に合致させてストッパを回転させることで、コイルばねがハウジング後壁の後面とノッチ軸の前端部の後面に圧接した状態に組み立てられる。
さらに、ラッチ装置は、ドライバなどでノッチ部をハウジング内に押し込みノッチ軸を左右に回転させ、雄ねじをストッパの前後方向に移動させることで、ハウジングからのノッチ部の突出長さが調節可能に構成されている。
【０００４】
【特許文献１】実公昭５７−６０６２２号公報
【発明の開示】
【発明が解決しようとする課題】
【０００５】
しかしながら、特許文献１に記載のようなラッチ装置では、ノッチ部（ラッチ部材）の突出量を変更するとコイルばねの縮み量も変化してしまう。このため、ラッチ部材の押し込み量が一定であってもコイルばねの縮み量が異なってしまい、コイルばねの反発力つまりラッチ部材に対する付勢力が異なってしまい、操作性が変動するという問題点がある。
【０００６】
本発明の目的は、ラッチ部材の突出量の変更状態によらずラッチ部材に対する付勢力を一定にすることが可能なラッチ装置およびラッチ装置を備えた建具に関する。
【課題を解決するための手段】
【０００７】
本発明のラッチ装置は、枠体および前記枠体に開閉自在に支持された面材のうち、一方に設けられたラッチ本体と、他方に設けられた受部とを備え、前記ラッチ本体が前記受部に係合することで前記面材を閉鎖位置に位置規制するラッチ装置であって、前記ラッチ本体は、前記一方に固定されるとともにベース孔を有したベース部材と、前記ベース孔から突没自在に前記ベース部材に支持されるラッチ部材と、このラッチ部材を前記ベース孔から突出させる方向へ付勢するコイルばねと、前記ラッチ部材の前記ベース孔からの突出量を変更して前記受部との掛け寸法を調節可能な調節手段と、前記ベース孔の周縁に設けられ、前記ラッチ部材と前記コイルばねと前記調節手段とを収容する略筒状の収容部と、前記調節手段に当接して前記ラッチ部材の突出方向側への移動を規制する調節手段移動規制部材とを備えて構成され、前記調節手段は、ナットと、このナットに螺合するボルト軸およびボルト頭を有し前記ボルト頭が前記ラッチ部材に固定されたボルトとを備え、前記調節手段移動規制部材は、略コ字板状の移動規制本体部を備え、前記収容部は、前記ベース孔の周縁に一連に設けられた筒状に形成され、前記ラッチ部材を収容するラッチ部材収容部と、前記ラッチ部材収容部に一連に設けられた筒状に形成され、前記ナットの回転を規制しつつ前記ナットを前記筒状の軸方向に移動可能に収容するナット収容部と、前記ナット収容部の開口部を閉塞するばね受板部と、前記ラッチ部材収容部と前記ナット収容部との連結部分に設けられ、前記調節手段移動規制部材が着脱可能に差し込まれる差込部とを備え、前記コイルばねは、前記ナット収容部内において前記ナットと前記ばね受板部との間に配置され、前記差込部には、前記移動規制本体部の略コ字状の内部に前記ボルト軸が挿通され、かつ、前記移動規制本体部が前記ナットに当接して当該ナットが前記ベース孔側へ移動することを規制するように前記調節手段移動規制部材が差し込まれていることを特徴とする。
【０００８】
ここで、ベース部材としては、全面が閉塞された略箱状のもの、ベース孔以外の開口が設けられた略筒状のものなどを適用できる。また、ラッチ部材としては、外形が球状、半球状、多角柱状のものなどを適用できる。
【０００９】
以上の本発明によれば、調節手段をラッチ部材とコイルばねとの間に設けているので、コイルばねの付勢状態を変化させることなくラッチ部材の突出量を変更して掛け寸法を調節することができる。したがって、ラッチ部材の突出量が異なっていてもラッチ部材の押し込み量が一定であれば、コイルばねの付勢状態を同一にすることができるので、ラッチ部材に対する付勢力を一定にすることができ、操作性も一定にすることができる。
また、ラッチ部材に取り付けられた調節手段をコイルばねとともに収容部に収容した後に、調節手段移動規制部材を取り付けて調節手段の移動を規制することでラッチ装置を容易に組み立てることができる。
【００１１】
さらに、本発明のラッチ装置では、前記ラッチ部材の回転を規制する回転規制手段が前記ラッチ部材収容部と前記ラッチ部材との間に設けられている構成が好ましい。
ここで、上述の回転規制手段を設けない構成の場合、例えば面材の開閉時の振動によりラッチ部材が回転してしまい利用者の意志に反して突出量が変更されてしまうおそれがある。
これに対して、本発明によれば、振動によりラッチ部材が回転することがなくなるので、利用者の意志に反して突出量が変化して受部と掛け寸法が変わってしまうという不具合を防止できる。
【００１２】
そして、本発明のラッチ装置では、前記ラッチ部材を突没方向と交差する方向へ押圧して前記ラッチ部材収容部に押し付ける押圧手段が前記ラッチ部材収容部と前記ラッチ部材との間に設けられている構成が好ましい。
このような構成によれば、押圧手段によりラッチ部材をラッチ部材収容部に押し付けるので面材の開閉時におけるラッチ部材のがたつきを防止できる。
【００１３】
そして、本発明のラッチ装置では、前記ラッチ部材収容部における前記ラッチ部材の外周面と対向する内周面および前記ラッチ部材の外周面のうち一方には、他方に向けて突出する突出部が設けられ、他方には、前記突出部と係合しかつ前記突出部が突没方向に摺動可能な溝部が設けられ、前記突出部または前記溝部は、前記突出部の突出方向に略沿った方向に弾性変形可能な弾性部を介して前記ラッチ部材収容部または前記ラッチ部材に設けられ、前記突出部と前記溝部とは、これらの係合により前記ラッチ部材の回転を規制する回転規制手段を構成し、前記押圧手段は、前記突出部と前記溝部と前記弾性部とで構成され、前記弾性部の弾性変形の反力により前記ラッチ部材が前記ラッチ部材収容部に押し付けられている構成が好ましい。
この発明によれば、突出部と溝部とを回転規制手段および押圧手段として機能させることでラッチ装置の構成の簡略化を図ることができる。さらには、従来のようにラッチ部材を押し込まなくても、弾性部を弾性変形させて突出部と溝部との係合を外す程度の操作力でラッチ部材を回転させて、突出量を変更することができる。
【００１４】
また、本発明のラッチ装置では、前記ラッチ部材が前記コイルばねで付勢された際に前記ラッチ部材に対して前記コイルばねの付勢力と反対方向への力を作用させるダンパ手段が設けられている構成が好ましい。
ここで、ダンパ手段としては、空気の出入りを調節することでコイルばねの付勢力と反対方向への力（以下、ダンパ力と称す）を作用させるエアダンパ、粘性が高いオイルを利用してダンパ力を作用させるオイルダンパを適用することができる。
この発明によれば、ダンパ手段によりラッチ部材にダンパ力を作用させるので、ラッチ部材が突出して受部に係合するときの速度（以下、突出速度と称す）を遅くすることができラッチ部材と受部との衝突音を低減することができる。
【００１５】
さらに、本発明のラッチ装置では、前記ラッチ部材の外周面には、前記ラッチ部材収容部の内周面に対して進退する方向に弾性変形可能な弾性部を介して前記ラッチ部材収容部の内周面に向けて突出する突出部が設けられ、前記ラッチ部材収容部の内周面には、前記突出部と係合しかつ前記突出部が突没方向に摺動可能な溝部が設けられ、前記ラッチ部材の外周面および前記ラッチ部材収容部の内周面のうち一方には、その周方向に略沿って一連に配置されて他方に摺接するベースラッチ間摺接部材が設けられ、前記突出部と前記溝部とは、これらの係合により前記ラッチ部材の回転を規制する前記回転規制手段を構成し、前記ラッチ部材収容部と前記溝部と前記ベースラッチ間摺接部材とは、前記ラッチ部材収容部内における前記ベースラッチ間摺接部材よりも閉塞面側の閉塞面側空間の圧力を前記溝部を介した空気の出入りで調整することで、前記ラッチ部材が前記コイルばねで付勢された際に前記ラッチ部材に対して前記コイルばねの付勢力と反対方向への力を作用させるダンパ手段を構成している構成が好ましい。
ここで、ベースラッチ間摺接部材を樹脂材などの弾性変形可能な材料で略リング状に形成すれば、ベースラッチ間摺接部材やラッチ部材収容部あるいはラッチ部材の公差が生じた場合でもベースラッチ間摺接部材をラッチ部材収容部に摺接させることができ、さらにはベースラッチ間摺接部材を弾性変形させることでラッチ部材に容易に取り付けることができる。なお、ベースラッチ間摺接部材は、ラッチ部材に設けられてもよいし、ラッチ部材収容部に設けられていてもよい。また、ラッチ部材収容部およびラッチ部材を両者間にわずかな隙間が形成されるような形状にして、この隙間にベースラッチ間摺接部材として粘性が高いオイルを塗布してもよい。
この発明によれば、ダンパ手段によりラッチ部材にダンパ力を作用させるので、上述の作用によりラッチ部材と受部との衝突音を低減することができる。また、回転規制手段として機能させている溝部をラッチ部材収容部内における閉塞面側空間の圧力を調整する手段として機能させることにより、圧力調整機能のみを有する孔などを設ける必要がなくラッチ装置の構成の簡略化を図ることができる。
【００１７】
本発明の建具は、この枠体に開閉自在に支持された面材と、上述のラッチ装置とを備えたことを特徴とする。
また、本発明の建具では、前記面材は、前記枠体に回動可能に支持されている扉体である構成が好ましい。
これらのような発明によれば、上述のラッチ装置と同様の作用効果を有する建具を提供できる。
【発明を実施するための最良の形態】
【００１８】
以下に本発明の第１実施形態を図面に基づいて説明する。なお、第１実施形態および後述の第２実施形態では、浴室に設置された建具としてのドアを例示して説明する。
図１は、本発明の第１実施形態に係るドア１を示す縦断面図である。図２は、ドア１を示す横断面図である。
図１および図２において、建具としてのドア１は、図示しない建物に設けられ、浴室出入口に固定される枠体１０と、この枠体１０に開閉自在に支持された面材としての扉体２０と、を備えている。
枠体１０は、上枠１１、下枠１２および左右の縦枠１３を備えている。一方（図２の左側）の縦枠１３の複数箇所には、蝶番１４が設けられている。
扉体２０は、枠体１０に蝶番１４を介して回動支持されており蝶番１４の回動軸を中心にして浴室側に開閉される。また、扉体２０は、四周枠組みされた扉上枠２１、扉下枠２２および左右の扉縦枠２３と、これら各枠２１〜２３で区画される開口部分を閉塞するパネル２４とを備えている。
また、ドア１には、枠体１０に設けられた受部３１と、扉体２０に設けられたラッチ本体３５とを備え、ラッチ本体３５が受部３１に係合することで扉体２０を閉鎖位置に位置規制するラッチ装置３０が設けられている。
受部３１は、他方（図２の右側）の縦枠１３の内側面側に球状に凹む受本体部３２を備えている。この受本体部３２の深さ寸法つまり掛け寸法は、Ｋｍｍ（Ｋミリメートル：以下、「ｍｍ」はミリメートルを意味する）に設定されている。
ラッチ本体３５は、図２に示すように、ベース部材４０とラッチ部材６０と付勢手段としてのコイルばね８０と調節手段９０とを備えている。
【００１９】
次に、ラッチ本体３５の構成について、図３〜図５も参照して詳しく説明する。
図３は、ラッチ本体３５を示す扉体２０の上側から見た横断面図である。図４は、ラッチ本体３５を示す浴室側から見た縦断面図であり、図３に矢視IV−IV線で示す断面図である。図５は、ラッチ本体３５を示す扉体２０の回動中心側から見た縦断面図であり、図４に矢視V−V線で示す断面図である。
調節手段９０は、多角板状のナット９１と、このナット９１に螺合するボルト軸９２および多角形板状のボルト頭９３を有するボルト９４とを備えている。
【００２０】
ベース部材４０は、扉縦枠２３に取り付けられる略長方形板状のベース取付部４１を備えている。このベース取付部４１の略中央には、丸形状のベース孔４２が開口形成されている。また、ベース取付部４１の長手方向の両端側には、図示しない取付部材が挿通される挿通孔４３が設けられている。さらに、ベース取付部４１における受部３１と対向しない面のベース孔４２の周縁には、浴室側が開口された断面略Ｕ字状のベース外筒部４４が設けられている。
このベース外筒部４４の脱衣室側の内周面には、ベース取付部４１の受部３１と対向する面からベース外筒部４４の延出方向に沿って延びる断面円弧状の回転規制手段および押圧手段としての溝部４５が設けられている。また、ベース外筒部４４の延出方向先端には、ばね受板部４６がベース孔４２と対向するように設けられている。
また、ばね受板部４６のベース孔４２側の面には、浴室側が開口された断面略Ｃ字状のベース内筒部４７が設けられている。このベース内筒部４７は、ボルト９４の回転を規制しつつ、ボルト９４をボルト頭９３のボルト軸９２側の面（軸側当接面）９５がベース内筒部４７に当接するまで軸方向に移動可能に支持する。また、ボルト９４のボルト頭９３における軸側当接面９５と反対の面（ばね当接面）９６とばね受板部４６との間には、コイルばね８０が配置されている。
【００２１】
ラッチ部材６０は、略半球状の半球部分と略円柱状の円柱部分とを備え、その径寸法がベース孔４２の径寸法よりも若干小さく設定されており、ベース孔４２から突没自在に構成されている。半球部分の頂点には、ドライバ溝６１が設けられている。また、ラッチ部材６０には、ボルト軸９２が挿入されるボルト軸挿入部６２が設けられている。このボルト軸挿入部６２は、半球部分から円柱部分の平坦面にかけて延びかつ径方向外側に開口する断面略Ｕ字の溝状に形成されている。また、ボルト軸挿入部６２の一部には、ナット９１が回転不可能に嵌合するナット嵌合部６３が設けられている。また、ラッチ部材６０の平坦面の外周縁の一部から円柱部分にかけての部分には、外側に開口する断面略円弧溝状の円弧溝部６４が設けられている。この円弧溝部６４は、円弧状の開口とボルト軸挿入部６２の略Ｕ字の開口とのなす角度が略９０°となる位置に設けられている。また、円弧溝部６４の内部には、円柱部分からその軸方向に沿って延びる弾性変形可能な押圧手段としての弾性部６５が設けられている。この弾性部６５の延出方向先端には、円柱部分の径方向外側に向けて略半球状に突出しベース部材４０の溝部４５に係合する回転規制手段および押圧手段としての突出部６６が設けられている。そして、突出部６６が溝部４５に係合した状態では弾性部６５が円柱部分の軸側に弾性変形しており、ラッチ部材６０はこの弾性変形の反力により溝部４５から離れる方向へ押圧されて、ベース孔４２の溝部対向面４８に押し付けられている。
また、平坦面における外周縁に沿った略Ｃ字状の部分には、略垂直方向に突出する壁部６７が設けられている。そして、この壁部６７と平坦面とで略区画形成されるボルト軸受部挿入領域６８には、ベース部材４０のベース内筒部４７の先端が挿入される。
【００２２】
次に、ラッチ本体３５の組立動作の一例について説明する。
まず、ベース部材４０のベース内筒部４７内にボルト頭９３が位置する状態でボルト９４を設置した後、ボルト９４のばね当接面９６とばね受板部４６との間にコイルばね８０を設置する。また、ラッチ部材６０のナット嵌合部６３にナット９１を嵌合する。そして、ラッチ部材６０をベース部材４０のベース孔４２内に挿入した後、ドライバ溝６１に係合されたドライバの操作によりラッチ部材６０を回転させて、ナット９１をボルト９４のボルト軸９２に螺合させる。つまり、調節手段９０をラッチ部材６０とコイルばね８０との間に設ける。この螺合状態を調節することでラッチ部材６０がベース孔４２に対して進退してラッチ部材６０の突出量を変更することができる。また、この螺合の際、ラッチ部材６０を１回転させる（３６０°回転させる）ごとにラッチ部材６０の突出部６６がベース部材４０の溝部４５に係合して、この係合によりラッチ部材６０の回転が規制される。以上により、ラッチ本体３５の組み立てが完了する。
【００２３】
次に、ラッチ装置３０の扉体２０への取付動作について説明する。
まず、例えば受部３１を縦枠１３に取り付ける。また、ラッチ本体３５のベース部材４０のベース外筒部４４を扉体２０の扉縦枠２３内に位置させて、ベース取付部４１の挿通孔４３に挿通させた取付部材を扉縦枠２３に取り付ける。このとき、ラッチ部材６０は、図５に示すように弾性部６５により溝部対向面４８につまり浴室側に押し付けられている。ラッチ本体３５を扉体２０へ取り付けた後、必要に応じてラッチ部材６０の突出量を変更する。以上により、ラッチ装置３０の扉体２０への取り付けが完了する。
ここで、扉体２０を回動させてドア１を閉じるとき、ラッチ装置３０は図５に示すような矢印Ｆ１の方向（脱衣室側）へ移動する。そして、ラッチ部材６０が受部３１に当接して摺動するときに、ラッチ部材６０には矢印Ｆ１と反対の矢印Ｆ２の方向（浴室側）への力が作用する。このとき、上述したようにラッチ部材６０が弾性部６５により浴室側に押し付けられてベース部材４０に対して固定されているので、ラッチ部材６０をがたつかせることなくドア１を閉じることができる。また、ドア１を開くときラッチ装置３０が矢印Ｆ２の浴室側へ移動してラッチ部材６０には矢印Ｆ１の脱衣室側への力が作用するが、弾性部６５が変形することでラッチ部材６０がベース部材４０に対して徐々に移動するので、ラッチ部材６０ががたつくことがない。
【００２４】
次に、ラッチ部材６０の突出量変更動作について図２、６〜８を参照して詳しく説明する。なお、ドア１が閉じているときの縦枠１３と扉縦枠２３との間隔を扉枠間隔と称して説明する。
図６は、ラッチ部材６０が掛け寸法だけ押し込まれた状態を上から見た横断面図である。図７は、扉枠間隔が図２の状態と比べて小さいときの状態を上から見た横断面図である。図８は、扉枠間隔が図２の状態と比べて大きいときの状態を上から見た横断面図である。
例えば、図２に示すように、扉枠間隔がＬ１ｍｍの場合、ラッチ部材６０の半球部分の先端とボルト９４のばね当接面９６との距離（ラッチボルト間距離）をＭ１ｍｍに設定することで、ラッチ部材６０が受部３１に係合したときにボルト９４の軸側当接面９５とベース内筒部４７とが当接する状態になり、コイルばね８０の寸法（ラッチ係合ばね寸法）はＢｍｍになる。この状態から扉体２０を浴室側へ回動させてドア１を開けるとき、図６に示すように、ラッチ部材６０が受本体部３２の内面に沿って移動しつつベース外筒部４４内に押し込まれる。そして、ラッチ部材６０が受本体部３２の外縁まで移動すると、コイルばね８０の縮み量は掛け寸法と等しいＫｍｍになる。さらに扉体２０が浴室側へ回動してラッチ部材６０が受部３１の外側へ移動すると、ラッチ部材６０はコイルばね８０の縮み量に対応した付勢力（ラッチ力）により付勢されて軸側当接面９５がベース内筒部４７に当接するまで移動する。
【００２５】
また、例えば施工誤差により図７に示すように扉枠間隔がＬ１ｍｍよりも小さいＬ２ｍｍの場合、ラッチ部材６０の突出量を小さくする変更をしてラッチボルト間距離をＭ２ｍｍ（＝Ｍ１−（Ｌ１−Ｌ２））に設定すると、あるいは図８に示すように扉枠間隔がＬ１ｍｍよりも大きいＬ３ｍｍの場合、ラッチ部材６０の突出量を大きくする変更をしてラッチボルト間距離をＭ３ｍｍ（＝Ｍ１−（Ｌ１−Ｌ３））に設定すると、ラッチ係合ばね寸法は扉枠間隔がＬ１ｍｍのときと同じＢｍｍになる。そして、この図７，８に示す状態からドア１を開けるとき、図２に示す扉枠間隔がＬ１ｍｍのときと同様にコイルばね８０がＫｍｍだけ縮み、ラッチ力は扉枠間隔がＬ１ｍｍのときと同じになる。
【００２６】
このような第１実施形態によれば、以下のような効果がある。
（１）ラッチ装置３０のラッチ本体３５として調節手段９０をラッチ部材６０とコイルばね８０との間に設ける構成を適用しているので、コイルばね８０の縮み量を変化させることなくラッチ部材６０の突出量を変更できる。したがって、図２，７，８に示すように、ラッチ部材６０の突出量が異なっていてもラッチ部材６０が掛け寸法だけ押し込まれたときのコイルばね８０の縮み量を同一にすることができ、ラッチ力つまり操作力を一定にすることができる。
【００２７】
（２）調節手段９０をラッチ部材６０に回転不可能に嵌合されたナット９１と、ベース部材４０に回転不可能かつ軸方向に移動可能に設けられたボルト９４とで構成しているので、ラッチ装置３０を分解したり扉体２０や枠体１０から取り外したりしなくても、ベース部材４０を固定したままで突没方向外側からラッチ部材６０を回転させるだけの簡単な操作で突出量を変更できる。
【００２８】
（３）ラッチ部材６０の突出部６６をベース部材４０の溝部４５に係合させることで、ラッチ部材６０の回転を規制している。このため、例えばドア１の開閉時の振動によりラッチ部材６０が回転することがなくなり、利用者の意志に反して突出量が変化してラッチ部材６０と受部３１との係合状態が変わってしまうという不具合を防止できる。
【００２９】
（４）弾性部６５の弾性変形の反力により突出部６６を溝部４５の方向に付勢することでラッチ部材６０をベース部材４０の溝部対向面４８に押し付けているので、ドア１の開閉時におけるラッチ部材６０のがたつきを防止できる。
【００３０】
（５）突出部６６と溝部４５とに、ラッチ部材６０の回転を規制する機能と、ラッチ部材６０を溝部対向面４８に押し付ける機能とを持たせているので、ラッチ部材６０の構成の簡略化を図ることができる。さらには、従来のようにラッチ部材６０を押し込まなくても、弾性部６５を弾性変形させて突出部６６と溝部４５との係合を外す程度の操作力でラッチ部材６０を回転させて、突出量を変更することができる。
【００３１】
（６）ラッチ部材６０を弾性部６５により浴室側に押し付けている。つまり、ドア１が閉じられるときの扉体２０の移動方向（脱衣室側）と反対方向へラッチ部材６０を押し付けている。このため、ドア１を閉じるときにラッチ部材６０が受部３１に対して摺動してラッチ部材６０に浴室側への力が作用したときに、ラッチ部材６０をがたつかせることなくドア１を閉じることができる。さらに、ドア１を開けるときにも、ラッチ部材６０をがたつかせることがなくなる。
【００３２】
なお、第１実施形態の変形例として、以下のような構成を適用してもよい。
例えば、本発明の調節手段として、例えばベース部材４０に設けられた筒状部材内にラッチ部材６０に設けられた棒状部材を圧入することで調節する構成を適用してもよい。
さらに、溝部４５、弾性部６５、突出部６６を設けない構成、つまり本発明の回転規制手段および押圧手段を設けない構成としてもよい。このような溝部４５、弾性部６５、突出部６６を設けない構成において、ラッチ部材６０の側面とベース部材４０との間に板ばねや樹脂材などの弾性部材を挟み込むことでラッチ部材６０をベース部材４０の溝部４５側の側面に押し付けてもよい。
そして、弾性部６５を介さずに突出部６６をラッチ部材６０の側面から突出させて回転規制手段のみを設けてもよい。このような回転規制手段のみを設ける構成において、ラッチ部材６０における突出部６６と反対側の側面とベース部材４０との間に上述の弾性部材を挟み込むことでラッチ部材６０をベース部材４０の溝部４５側の側面に押し付けてもよい。
さらに、回転規制手段としては、樹脂材などの摩擦力を利用する構成としてもよい。また、押圧手段によりラッチ部材６０を浴室側ではなく脱衣室側や天井側あるいは床側に押し付ける構成としてもよい。
そして、受部３１を扉体２０に設け、ラッチ本体３５を枠体１０に設けてもよい。
【００３３】
そして、図９に示すようなラッチ本体３５Ａとしてもよい。このラッチ本体３５Ａを構成するラッチ部材６０Ａのボルト軸挿入部６２には、調節手段９０のボルト９４のボルト頭９３が回転不可能に嵌合されるボルト嵌合部７２が設けられている。また、ベース部材４０のベース内筒部４７内には、調節手段９０のナット９１が回転不可能に嵌合されている。そして、ナット９１に螺合されたボルト９４のボルト軸９２の先端とベース部材４０のばね受板部４６との間にコイルばね８０が設けられている。
【００３４】
また、図１０（Ａ），（Ｂ）に示すように、受部３１Ｂと、この受部３１Ｂの受本体部３２Ｂに係合するラッチ本体３５Ｂとでラッチ装置３０Ｂを構成してもよい。ラッチ本体３５Ｂは、一面にベース孔１１１を有する箱状のベース部材１１０とラッチ部材１２０とコイルばね８０と調節手段９０とを備えている。
ベース部材１１０のベース孔１１１と対向する面には、コイルばね８０およびボルト９４が配置されるベース内筒部４７が設けられている。
ラッチ部材１２０は、断面略台形かつ正面視で略正方形のブロック形状に形成されたラッチ外側部１２１と、このラッチ外側部１２１内に回転可能に配設された円柱状のラッチ内側部１２５とを備えている。ラッチ外側部１２１には、ラッチ内側部１２５を外部に露出させるボルト軸挿通孔１２２とドライバ挿通孔１２３とが設けられている。ラッチ内側部１２５内には、ベース部材１１０に配置されたボルト９４が螺合されるナット９１が回転不可能に嵌合されている。また、ラッチ内側部１２５には、ボルト軸９２を軸方向に移動可能にするボルト軸挿入部１２６と、ドライバ挿通孔１２３を介して露出されたドライバ溝６１とが設けられている。また、ラッチ本体３５Ｂには、扉体２０を開くときにラッチ外側部１２１を没入させる機構を備えている。この機構としては、図示しないハンドルと、ハンドル操作に連動してラッチ外側部１２１を没入させる図示しない連動部とを有する構成が例示できる。
【００３５】
さらに、図１１（Ａ），（Ｂ）に示すように、受部３１Ｃと、この受部３１Ｃの受本体部３２Ｃに係合するラッチ本体３５Ｃとでラッチ装置３０Ｃを構成してもよい。ラッチ本体３５Ｃは、ベース部材１１０とラッチ部材１４０とコイルばね８０と調節手段１５０とを備えている。
ベース部材１１０におけるベース孔１１１の近傍には、互いに対向し、ラッチ部材１４０を受部３１Ｃに対して進退する方向へガイドする一対のガイド部１１２が設けられている。
ラッチ部材１４０は、ローラ１４１と、このローラ１４１を回転可能に軸支する一対のローラ軸支部１４２とを備えている。
調節手段１５０は、ベース内筒部４７内に移動可能に設けられたラック部１５１と、このラック部１５１と係合するラック係合部１５５と、ラック部１５１の移動を規制するラック移動規制部１５８とを備えている。ラック部１５１は、ベース内筒部４７内でコイルばね８０に当接して付勢される略板状のラック基部１５２と、このラック基部１５２の一面から突出する棒状に形成されその側面に複数のラック歯１５３が設けられたラック軸部１５４とを備えている。ラック係合部１５５は、ローラ軸支部１４２から棒状に延び弾性変形可能な係合軸部１５６と、この係合軸部１５６の先端から突出しラック歯１５３と係合する係合突部１５７とを備えている。ラック移動規制部１５８は、ローラ軸支部１４２にラック係合部１５５と対向するように設けられている。また、ラック係合部１５５とガイド部１１２の間には、ベース孔１１１から出入自在に設けられたラッチ規制部材１６０が設けられている。
【００３６】
そして、図９に示すラッチ本体３５Ａにおいてラッチ部材６０Ａの突出量を調節する場合にはラッチ部材６０Ａを回転させて、図１０に示すラッチ装置３０Ｂにおいてラッチ部材１２０の突出量を調整する場合にはラッチ外側部１２１に対してラッチ内側部１２５を回転させて、ナット９１とボルト９４との螺合状態を調節する。
また、図１１に示すラッチ装置３０Ｃにおいてラッチ部材１４０の突出量を調節する場合には、ラッチ規制部材１６０を取り外した後に、ラッチ部材１４０を移動させつつ係合軸部１５６を弾性変形させて係合突部１５７とラック歯１５３との係合位置を変える。そして、調節後にラッチ規制部材１６０を挿入することでラッチ部材１４０をベース部材１１０に対して位置規制する。
このような図９〜図１１に示すラッチ本体３５Ａやラッチ装置３０Ｂ，３０Ｃにおいても、調節手段９０，１５０をラッチ部材６０Ａ，１２０，１４０とコイルばね８０との間に設けているので上記実施形態と同様の作用効果を期待できる。
【００３７】
次に、本発明の第２実施形態を図面に基づいて説明する。なお、第１実施形態と同一の構成については、同一符号を付して説明を適宜省略する。図１２は、本発明の第２実施形態に係るドア１Ｄを示す横断面図である。
図１２において、建具としてのドア１Ｄには、枠体１０に設けられた受部３１と、扉体２０に設けられたラッチ本体３５Ｄとを備えたラッチ装置３０Ｄが設けられている。ラッチ本体３５Ｄは、ベース部材２００とラッチ部材２２０とコイルばね８０と調節手段９０とを備えている。
【００３８】
次に、ラッチ本体３５Ｄの構成について、図１３〜図１６も参照して詳しく説明する。
図１３は、ラッチ本体３５Ｄを示す扉体２０の上側から見た横断面図である。図１４は、ラッチ本体３５Ｄを示す浴室側から見た縦断面図であり、図１３に矢視XIV−XIV線で示す断面図である。図１５は、ラッチ本体３５Ｄを示す扉体２０の回動中心側から見た縦断面図であり、図１４に矢視XV−XV線で示す断面図である。図１６は、ラッチ本体３５Ｄを示す扉体２０の回動中心側から見た縦断面図であり、図１４に矢視XVI−XVI線で示す断面図である。
【００３９】
ベース部材２００は、図１３および図１４に示すように、ベース孔４２および挿通孔４３を有するベース取付部４１を備えている。さらに、ベース取付部４１における受部３１と対向しない面のベース孔４２の周縁には、略筒状の収容部２０１が設けられている。この収容部２０１は、ベース孔４２の周縁に一連に設けられた円筒状の円筒収容部２０２とこの円筒収容部２０２に一連に設けられた六角筒状の六角筒収容部２０３とこの六角筒収容部２０３の開口部を閉塞するばね受板部２０４とにより、軸方向の一端面が閉塞された略筒状に形成されている。円筒収容部２０２の内径寸法は、ベース孔４２の内径寸法と等しい値に設定されている。六角筒収容部２０３の内面形状は、調節手段９０のナット９１の外周面形状よりも若干大きい六角形状に形成されている。
【００４０】
また、円筒収容部２０２と六角筒収容部２０３との連結部分には、調節手段移動規制部材としてのナット移動規制部材２１０が浴室側から着脱可能に差し込まれる差込部２０５が設けられている。ナット移動規制部材２１０は、図１５にも示すように、略コ字板状の移動規制本体部２１１とこの移動規制本体部２１１の一対の板状部分を連結する連結部から移動規制本体部２１１の面方向と略直交する方向に延びる移動規制つまみ部２１２とを有している。移動規制本体部２１１の略コ字状の内部には、ボルト軸９２が挿通される。
また、円筒収容部２０２の脱衣室側の内周面には、ベース取付部４１の受部３１と対向する面から円筒収容部２０２の延出方向に沿って延びる断面円弧状の溝部２０６が設けられている。六角筒収容部２０３の内周面には、図示しないダンピンググリスが塗布されている。そして、六角筒収容部２０３は、ナット９１の回転を規制しつつ、ナット９１の一面がナット移動規制部材２１０に当接するまで軸方向に移動可能に支持する。また、ナット９１の他面とばね受板部２０４との間には、コイルばね８０が配置されている。
【００４１】
ラッチ部材２２０は、図１３、図１４、図１６に示すように、ドライバ溝６１を有する略半球状の半球部分２２１と略円柱状の円柱部分２２２とを備え、ベース孔４２から突没自在に構成されている。また、円柱部分２２２には、ボルト頭９３が回転不可能に嵌合されるボルト嵌合部２２３が設けられている。このボルト嵌合部２２３は、径方向外側に開口する断面略Ｕ字の溝状に形成されている。また、ボルト嵌合部２２３内には、変形可能なボルト圧入突部２２４が突出している。さらに、円柱部分２２２には、周方向に沿って一連に形成されたＯリング溝２２５が設けられている。そして、このＯリング溝２２５には、ベースラッチ間摺接部材としてのＯリング２３０が嵌め込まれている。Ｏリング２３０の外径寸法は、円柱部分２２２の外径寸法よりも若干大きく、かつ、ベース孔４２および円筒収容部２０２の内径寸法と略等しく設定されている。このため、Ｏリング２３０の外周縁は、Ｏリング溝２２５に嵌め込まれたときに、円柱部分２２２から外側にはみ出し、かつ、ベース孔４２および円筒収容部２０２の内周面に摺接する。
【００４２】
また、円柱部分２２２における平坦面の外周縁の一部からＯリング溝２２５近傍にかけての部分には、円弧溝部２２６が設けられている。この円弧溝部２２６は、円弧状の開口とボルト嵌合部２２３の略Ｕ字の開口とのなす角度が略９０°となる位置に設けられている。また、円弧溝部２２６の内部には、弾性部２２７が設けられている。この弾性部２２７の延出方向先端には、突出部２２８が設けられている。
そして、突出部２２８と溝部２０６とは、互いに係合することでラッチ部材２２０の回転を規制する回転規制手段を構成している。また、収容部２０１と溝部２０６とＯリング２３０とは、収容部２０１内におけるＯリング２３０よりもばね受板部２０４側の閉塞面側空間２０８とその外部（空間外部）との間で溝部２０６を介して空気を出入りさせ、閉塞面側空間２０８の圧力を調整することでラッチ部材２２０にラッチ力と反対方向の力（ダンパ力）を作用させるダンパ手段としてのエアダンパを構成している。
【００４３】
次に、ラッチ本体３５Ｄの組立動作の一例について説明する。なお、ラッチ装置３０Ｄの扉体２０への取付動作については第１実施形態と同様なので説明を省略する。
まず、ボルト９４にナット９１を螺合させてボルト軸９２の先端をかしめた後に、ボルト頭９３をラッチ部材２２０のボルト圧入突部２２４を変形させつつボルト嵌合部２２３に圧入する。次に、Ｏリング溝２２５にＯリング２３０を嵌め込む。そして、六角筒収容部２０３の開口周縁にダンピンググリスを塗布して、六角筒収容部２０３内にコイルばね８０を配置する。この後、ラッチ部材２２０に取り付けられたナット９１でコイルばね８０を縮めつつナット９１を六角筒収容部２０３内に収容して、ナット９１を差込部２０５よりもばね受板部２０４側に位置させるとともにナット９１の側面にダンピンググリスを塗りつける。そして、差込部２０５にナット移動規制部材２１０を差し込みボルト軸９２を挿通させることにより、移動規制本体部２１１でナット９１がベース孔４２側へ移動することを規制する。そして、ナット９１とボルト９４との螺合状態を調節することでラッチ部材２２０の突出量を変更することができ、ラッチ部材２２０を１回転させるごとに突出部２２８が溝部２０６に係合してラッチ部材２２０の回転が規制される。以上により、ラッチ本体３５Ｄの組み立てが完了する。
【００４４】
次に、ドア１Ｄを閉じるときのラッチ装置３０Ｄの動作について説明する。
ドア１Ｄを閉じるために扉体２０を回動させるとき、ラッチ装置３０Ｄのラッチ部材２２０は、受部３１に当接して移動しつつ円筒収容部２０２内に押し込まれる。このとき、ナット９１がばね受板部２０４に近づくため閉塞面側空間２０８が狭くなり閉塞面側空間２０８の圧力が一時的に高くなるが、溝部２０６を介して閉塞面側空間２０８内の空気を少しずつ空間外部に出すことで閉塞面側空間２０８の圧力が徐々に低くなり、やがて空間外部との圧力差がなくなる。このため、ラッチ部材２２０が円筒収容部２０２内にスムーズに押し込まれる。
【００４５】
さらに、扉体２０を回動させるとラッチ部材２２０が円筒収容部２０２から突出して、ラッチ部材２２０が受本体部３２に係合することでドア１Ｄが閉じられる。このとき、ナット９１がコイルばね８０のラッチ力でばね受板部２０４から離れる方向に付勢されるが、空間外部の空気が溝部２０６を介して少しずつ閉塞面側空間２０８内に取り込まれるため、ラッチ部材２２０にダンパ力が作用する。また、ナット９１の側面に塗布されているダンピンググリスによっても、ラッチ部材２２０にダンパ力が作用する。このため、ダンパ力が作用しない構成と比べてラッチ部材２２０の突出速度が遅くなり、ラッチ部材２２０と受本体部３２との衝突音が低減する。
【００４６】
このような第２実施形態によれば、第１実施形態の（１）〜（３）と同様の効果に加えて以下のような効果がある。
（７）収容部２０１と溝部２０６とＯリング２３０とで構成されるエアダンパによりラッチ部材２２０にダンパ力を作用させているため、ラッチ部材２２０の突出速度を遅くすることができラッチ部材２２０と受本体部３２との衝突音を低減することができる。特に、ナット９１にダンピンググリスを塗布しているため、大きなダンパ力を作用させることができ、衝突音をより低減できる。
【００４７】
（８）回転規制手段として機能させている溝部２０６を閉塞面側空間２０８内の圧力を調整する手段として機能させているため、圧力調整機能のみを有する孔などを設ける必要がなくラッチ装置３０Ｄの構成の簡略化を図ることができる。
【００４８】
（９）ナット９１のベース孔４２側への移動を規制するナット移動規制部材２１０を収容部２０１に着脱可能に設けているため、ラッチ部材２２０に取り付けられたナット９１とボルト９４とを収容部２０１に収容した後に、ナット移動規制部材２１０を取り付けてナット９１の移動を規制することでラッチ装置３０Ｄを容易に組み立てることができる。
【００４９】
なお、第２実施形態の変形例として、以下のような構成を適用してもよい。
例えば、Ｏリング２３０を設けずにダンピンググリスのみでダンパ力を作用させてもよいし、ダンピンググリスを塗布せずにエアダンパのみでダンパ力を作用させてもよい。
また、Ｏリング２３０を円筒収容部２０２の内周面に設けてもよい。そして、Ｏリング２３０の代わりに、ラッチ部材２２０または円筒収容部２０２にその周方向に沿って断続的に樹脂製のベースラッチ間摺接部材を設けてもよい。さらに、円筒収容部２０２とラッチ部材２２０とを両者間にわずかな隙間が形成されるような形状にして、この隙間にダンピンググリスを塗布してダンパ力を作用させてもよい。このような構成では、断面略Ｃ字状のベース内筒部４７と同様の構成でナット９１の移動を規制してもよい。
そして、上述した第１実施形態の変形例を第２実施形態の変形として適宜適用してもよい。
【００５０】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００５１】
【図１】本発明の第１実施形態に係るドアを示す縦断面図である。
【図２】前記ドアを示す横断面図である。
【図３】ラッチ本体を示す扉体の上側から見た横断面図である。
【図４】ラッチ本体を示す浴室側から見た縦断面図である。
【図５】ラッチ本体を示す扉体の回動中心側から見た縦断面図である。
【図６】ラッチ部材が掛け寸法だけ押し込まれた状態を上から見た横断面図である。
【図７】扉枠間隔が図２の状態と比べて小さいときの状態を上から見た横断面図である。
【図８】扉枠間隔が図２の状態と比べて大きいときの状態を上から見た横断面図である。
【図９】本発明の第１実施形態の変形例に係るラッチ本体の縦断面図である。
【図１０】本発明の第１実施形態の他の変形例に係るラッチ装置の横断面図である。
【図１１】本発明の第１実施形態のさらに他の変形例に係るラッチ装置の横断面図である。
【図１２】本発明の第２実施形態に係るドアを示す縦断面図である。
【図１３】ラッチ本体を示す扉体の上側から見た横断面図である。
【図１４】ラッチ本体を示す浴室側から見た縦断面図である。
【図１５】ラッチ本体を示す扉体の回動中心側から見た縦断面図である。
【図１６】ラッチ本体を示す扉体の回動中心側から見た縦断面図である。
【符号の説明】
【００５２】
１，１Ｄ…ドア（建具）、１０…枠体、２０…扉体（面材）、３０，３０Ｂ，３０Ｃ，３０Ｄ…ラッチ装置、３１，３１Ｂ，３１Ｃ…受部、３５，３５Ａ，３５Ｂ，３５Ｃ，３５Ｄ…ラッチ本体、４０，１１０，２００…ベース部材、４２，１１１…ベース孔、４５…溝部（回転規制手段、押圧手段）、６０，６０Ａ，１２０，２２０…ラッチ部材、６５…弾性部（押圧手段）、６６…突出部（回転規制手段、押圧手段）、２０１…収容部、２１０…ナット移動規制部材（調節手段移動規制部材）、２３０…Ｏリング（ベースラッチ間摺接部材、ダンパ手段）、２０６…溝部（回転規制手段、ダンパ手段）、２２７…弾性部、２２８…突出部（回転規制手段、ダンパ手段）。
【図１】
0004988639.tif 000002
【図２】
0004988639.tif 000003
【図３】
0004988639.tif 000004
【図４】
0004988639.tif 000005
【図５】
0004988639.tif 000006
【図６】
0004988639.tif 000007
【図７】
0004988639.tif 000008
【図８】
0004988639.tif 000009
【図９】
0004988639.tif 000010
【図１０】
0004988639.tif 000011
【図１１】
0004988639.tif 000012
【図１２】
0004988639.tif 000013
【図１３】
0004988639.tif 000014
【図１４】
0004988639.tif 000015
【図１５】
0004988639.tif 000016
【図１６】
0004988639.tif 000017